(57)【要約】    【課題】  回転処理体の回転駆動のための電動機を、床面にほぼ垂直な軸線のまわりに回転駆動される回転処理体によって支持する、操作性が良好で作業者が疲労しにくい回転処理装置を提供する。    【解決手段】  減速ギヤを介して連結された回転処理体取付部を回転駆動する電動機のブラケットにおける取付部を、支持体内部における１２０度中心角毎に設けられた支持部上に位置するゴム状防振体上に位置させ、ゴム状防振体と支持部及び取付部を連結して支持体に電動機を搭載する。回転処理体取付部に回転ブラシを同軸状に取り付け、支持体の後上部に、ほぼ任意角度に傾斜させた状態で固定し得る操作用把手を連結する。【選択図】      図１
2005087434.tif 000002
【特許請求の範囲】
【請求項１】
支持体に電動機が搭載され、その電動機の下方に、その電動機により床面等に対しほぼ垂直な回転軸線のまわりに回転駆動されるほぼ回転対称形状の回転処理体又はその回転処理体を取り付けるための回転処理体取付部を有し、操作用把手又は操作用把手取付部を備えてなる回転処理装置であって、
前記支持体に対する電動機の搭載が、その電動機の回転軸を中心とする円周上の約１２０度以下の中心角を挟む３以上の箇所においてゴム状防振体を介して行われ、
前記回転処理体又は回転処理体取付部は、前記電動機及びゴム状防振体を介してのみ前記支持体に支持され、
前記操作用把手又は操作用把手取付部は、前記支持体に設けられていることを特徴とする回転処理装置。
【請求項２】
上記支持体に対する電動機の搭載が、その回転軸を中心とする一定円周上の１２０度中心角を挟む３箇所においてゴム状防振体を介して行われている請求項１記載の回転処理装置。
【請求項３】
上記ゴム状防振体の下側に、支持体における支持部が位置し、前記ゴム状防振体の上側に、電動機又は電動機支持体の支持部が位置する請求項１又は２記載の回転処理装置。
【請求項４】
上記ゴム状防振体の上側に、支持体における支持部が位置し、前記ゴム状防振体の下側に、電動機又は電動機支持体の支持部が位置する請求項１又は２記載の回転処理装置。
【発明の詳細な説明】
【技術分野】
【０００１】
本発明は、回転ブラシによる床面清掃や回転パッドによる床磨き等の回転処理装置に関する。
【背景技術】
【０００２】
特開２００３−１００８６号公報（特許文献１）には、柄４が連結された枠８上に駆動用の電動機を搭載し、枠８の下側に、その電動機により、床面にほぼ垂直な回転軸線のまわりに回転駆動される円形のフロアパッド９が取付られたポリッシャーについての記載がある。
【０００３】
このような回転フロアパッドや回転ブラシ等の回転処理体を用いるポリッシャー等の床面等処理用の回転処理装置は、回転処理体の回転駆動のために大きなトルクを発生する重量の大きい電動機を、床面にほぼ垂直な軸線のまわりに回転駆動される回転処理体によって支持するものである。そのため、この種の回転処理装置を用いて床面の処理を行う場合、電動機等の重量がほぼ全て回転処理体に載荷され、回転処理体と床面との間の摩擦力を高めて床磨き等の処理効果を高めることができる。
【０００４】
ところが一方、電動機等の重量が戴荷された状態の回転処理体が床面等の処理対象面上で回転するということは、床面等に対し回転処理装置を移動させる駆動力を発生することにもなる。回転処理体の回転の向きは一定であるため、床面等に対する回転処理体の傾斜角度及び傾斜の向き並びに電動機等による重心位置により、床面等に対する駆動力の向き及び大きさが変化する。
【０００５】
床面等の上を適切な方向及び速度で移動させつつ回転処理装置による床面等の処理作業を行うには、床面等に対する駆動力の向き及び大きさを、柄（操作用把手）によって回転処理体の傾斜角度及びその傾斜方向を適切に調節することのみにより行わなければならない。
【特許文献１】特開２００３−１００８６号公報
【発明の開示】
【発明が解決しようとする課題】
【０００６】
しかしながら、電動機等の重量や回転処理体のトルクが大きいため、駆動力の向き及び大きさを適切にコントロールして操作者の意のままに回転処理装置を移動させつつ床面等の処理を行うことは、初心者にとって困難であり、腕等が疲労し易く、特に女性等の力が弱い者にとっては熟練を要する。従って、操作性が良好で作業者が疲労しにくい回転処理装置が要望されている。
【０００７】
なお、このような床磨き機等の回転処理装置において、防振ゴムを介してのみ電動機を支持すると、電動機の支持剛性の低下により、柄（操作用把手）によって回転処理体の傾斜角度及びその傾斜方向を適切に調節する操作特性を損なうおそれがあった。そのため、防振ゴムを介してのみ電動機を支持したポリッシャー等の床面等処理用の回転処理装置は、従来市販されていない。
【０００８】
本発明は、従来技術に存した上記のような課題に鑑み行われたものであって、その目的とするところは、回転処理体の回転駆動のための電動機を、床面にほぼ垂直な軸線のまわりに回転駆動される回転処理体によって支持する、操作性が良好で作業者が疲労しにくい回転処理装置を提供することにある。
【課題を解決するための手段】
【０００９】
上記目的を達成する本発明の回転処理装置は、
支持体に電動機が搭載され、その電動機の下方に、その電動機により床面等に対しほぼ垂直な回転軸線のまわりに回転駆動されるほぼ回転対称形状の回転処理体又はその回転処理体を取り付けるための回転処理体取付部を有し、操作用把手又は操作用把手取付部を備えてなる回転処理装置であって、
前記支持体に対する電動機の搭載が、その電動機の回転軸を中心とする円周上の約１２０度以下の中心角を挟む３以上の箇所においてゴム状防振体を介して行われ、
前記回転処理体又は回転処理体取付部は、前記電動機及びゴム状防振体を介してのみ前記支持体に支持され、
前記操作用把手又は操作用把手取付部は、前記支持体に設けられていることを特徴とする。
【００１０】
この回転処理装置は、回転処理体（回転処理体取付部に取り付けられた回転処理体を含む）を駆動するための電動機及び支持体等を、その電動機によって床面等に対しほぼ垂直な回転軸線のまわりに回転駆動される前記回転処理体により支持するものである。そのため、電動機等の重量がほぼ全て回転処理体に載荷され、回転処理体と床面との間の摩擦力を高めて床磨き等の処理効果を高めることができると共に、操作用把手（操作用把手取付部に取り付けられた操作用把手を含む）により回転処理体の傾斜角度及びその傾斜方向を調節して所望の向きに回転処理装置を移動させつつ床面等の処理を行うことができる。
【００１１】
この種の回転処理装置は、一般に、電動機等の重量や回転処理体のトルクが大きいため、駆動力の向き及び大きさを適切にコントロールして操作者の意のままに回転処理装置を移動させつつ床面等の処理を行うことは、初心者にとって困難であり、腕等が疲労し易く、特に女性等の力が弱い者にとっては熟練を要する。
【００１２】
しかしながら、支持体に対する電動機の搭載が、その回転軸を中心とする円周上の約１２０度以下の中心角を挟む３以上の箇所においてゴム状防振体を介して行われており（従ってゴム状防振体を介さない連結は行われておらず）、電動機及びゴム状防振体を介してのみ回転処理体（又は回転処理体取付部）が支持体に支持されている本発明の回転処理装置の場合、振動及び騒音、特に電動機と支持体等との共鳴音が効果的に低減されるのみならず、支持体に設けられ又は連結された操作用把手により回転処理体の傾斜角度及びその傾斜方向を調節して所望の向きに回転処理装置を移動させつつ床面等の処理を行うにあたっての調節操作を、円滑に無理なく行うことができ、作業者の腕等に対する負担が軽減され、初心者や女性等の力が弱い者による使用、特に連続使用にも好適である。
【００１３】
また本発明の回転処理装置は、上記支持体に対する電動機の搭載が、その回転軸を中心とする一定円周上の１２０度中心角を挟む３箇所においてゴム状防振体を介して行われているものとすることができる。
【００１４】
この場合、支持体に対する電動機の搭載が、その回転軸を中心とする一定円周上の１２０度中心角を挟む３箇所においてゴム状防振体を介して行われている本発明の回転処理装置の場合、支持体に設けられ又は連結された操作用把手により回転処理体の傾斜角度及びその傾斜方向を調節して所望の向きに回転処理装置を移動させつつ床面等の処理を行うにあたっての調節操作を、より円滑に無理なく行うことができ、作業者の腕等に対する負担が軽減され、初心者や女性等の力が弱い者による使用、特に連続使用にも一層好適である。
【００１５】
また本発明の回転処理装置は、上記ゴム状防振体の下側に、支持体における支持部が位置し、前記ゴム状防振体の上側に、電動機又は電動機支持体の支持部が位置するものとすることができるほか、上記ゴム状防振体の上側に、支持体における支持部が位置し、前記ゴム状防振体の下側に、電動機又は電動機支持体の支持部が位置するものとすることもできる。
【発明の効果】
【００１６】
本発明の回転処理装置は、振動及び騒音、特に電動機と支持体等との共鳴音が効果的に低減されるのみならず、支持体に設けられ又は連結された操作用把手により回転処理体の傾斜角度及びその傾斜方向を調節して所望の向きに回転処理装置を移動させつつ床面等の処理を行うにあたっての調節操作を、円滑に無理なく行うことができ、作業者の腕等に対する負担が軽減され、初心者や女性等の力が弱い者による使用、特に連続使用にも好適である。
【発明を実施するための最良の形態】
【００１７】
本発明の実施の形態を、図面を参照しつつ説明する。
【００１８】
図１は、本発明の回転処理装置の実施の形態の一例としての電動床磨き機の縦断面図、図２は、操作用把手を除いた電動床磨き機の拡大縦断面図である。
【００１９】
この電動床磨き機は、下向きの略椀形状をなし、上部に円形透孔１０ａが形成されてなる支持体１０と、下方に設けられた減速ギヤ部１２ａの減速ギヤを介してその下方に連結された回転処理体取付部１４を回転駆動する電動機１２と、その回転処理体取付部１４に同軸状に取り付けられて使用される回転処理体としての略円環状（例えば略円板状であってもよい）の回転ブラシ１６と、電動機カバー１８と、支持体１０の後上部に連結された、ほぼ任意角度に傾斜させた状態で固定し得る操作用把手２０と、支持体１０の後方部に設けられた不使用状態で移動するための車輪２２を備えてなる。
【００２０】
支持体１０の内部における一定円周上の１２０度中心角毎に設けられた支持部１０ｂ（３箇所のうち１箇所のみ図示。）上に、それぞれ１個のゴム状防振体２４（３個のうち１個のみ図示。）が位置し、それらの各ゴム状防振体２４上に、電動機１２の下部のブラケットにおける電動機１２の回転軸（出力軸）を中心とする一定円周上の１２０度中心角毎に設けられた取付部１２ｂ（３箇所のうち１箇所のみ図示。）が位置しており、各ゴム状防振体２４から上下に突設された固定用ボルトＢとそれぞれに螺合するナットＮを用いて、各ゴム状防振体２４と各支持部１０ｂ及び各取付部１２ｂが連結されることにより支持体１０に電動機１２が搭載されている。従って、回転ブラシ１６及び回転処理体取付部１４は、電動機１２及びゴム状防振体２４を介してのみ支持体１０に支持されている。また、電動機１２の回転軸と回転ブラシ１６の回転軸線は同軸状をなす。
【００２１】
電動機１２は円形透孔１０ａを通じて支持体１０の上方に突出しており、電動機１２のうち支持体１０上に突出する部分は、支持体１０の上部に下端部が固定された電動機カバー１８により覆われている。
【００２２】
この電動床磨き機は、回転ブラシ１６の下部が床面等の処理対象面上に接し、その回転軸線が床面等に対しほぼ垂直となる状態において、操作用把手２０を所望の傾斜角度（例えば図１における二点鎖線で示す角度）に設定して使用する。電動機１２及び支持体１０等は、その電動機１２によって床面等に対しほぼ垂直な回転軸線のまわりに回転駆動される回転ブラシ１６により床面等の上に支持される。そのため、電動機１２及び支持体１０等の重量がほぼ全て回転ブラシ１６に載荷され、回転ブラシ１６と床面等との間の摩擦力を高めて床磨き等の処理効果を高めることができる。而も、電動機１２等の重量が戴荷された状態の回転ブラシ１６が床面等の処理対象面上で回転するということは、床面等に対し電動床磨き機を移動させる駆動力を発生することになるので、操作用把手２０により回転ブラシ１６の傾斜角度及びその傾斜方向を調節して所望の向きに電動床磨き機を移動させつつ床面等の処理を行うことができる。
【００２３】
支持体１０に対する電動機１２の搭載が、その回転軸を中心とする一定円周上の１２０度中心角毎の３箇所においてゴム状防振体２４を介して行われており、電動機１２及びゴム状防振体２４を介してのみ回転ブラシ１６が支持体１０に連結されているこの電動床磨き機においては、振動及び騒音、特に電動機１２と支持体１０等との共鳴音が効果的に低減されるのみならず、支持体１０に連結された操作用把手２０により回転ブラシ１６の傾斜角度及びその傾斜方向を調節して所望の向きに電動床磨き機を移動させつつ床面等の処理を行うにあたっての調節操作を、円滑に無理なく行うことができ、作業者の腕等に対する負担が軽減され、初心者や女性等の力が弱い者による使用、特に連続使用にも好適である。
【００２４】
不使用時は、図１における実線で示すように操作用把手２０をほぼ垂直に設定し、車輪２２を降ろし、車輪２２を接地させて回転ブラシ１６を床面等の上方に位置させた状態で移動させることができる。
【００２５】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【図面の簡単な説明】
【００２６】
【図１】電動床磨き機の縦断面図である。
【図２】操作用把手を除いた電動床磨き機の拡大縦断面図である。
【符号の説明】
【００２７】
１０    支持体
１０ａ  円形透孔
１０ｂ  支持部
１２    電動機
１２ａ  減速ギヤ部
１２ｂ  取付部
１４    回転処理体取付部
１６    回転ブラシ
１８    電動機カバー
２０    操作用把手
２２    車輪
２４    ゴム状防振体
Ｂ      固定用ボルト
Ｎ      ナット
【図１】
2005087434.tif 000003
【図２】
2005087434.tif 000004